(57)【要約】【課題】コンパクトな構造で異種液化ガス燃料の使用を可能にする。【解決手段】燃料供給装置２の１次レギュレータ１６における１次燃料室２０の燃圧をダイヤフラム１９と圧縮コイルばね２１とにより発生させ、その圧縮コイルばねのダイヤフラムとは相反する荷重方向端をカム体３３に当接させる。カム体にはカム面３３ａを設け、カム体を回動させることにより、圧縮コイルばねの当接位置を外周面とカム面とに切り換え、圧縮コイルばねのたわみ量を変化させる。カム体を回して１次レギュレータの燃圧を変えることにより、１つのレギュレータを設けた内燃機関などにおいて発熱量の異なる燃料を使い分けることができるため、コンパクトな構造で異種液化ガス燃料の使用が可能になる。【選択図】図２
2005320866.tif 000002
【特許請求の範囲】
【請求項１】
発熱量の異なる異種液化ガス燃料を使用する機関において、低発熱量燃料を使用する場合にはレギュレータの燃料室の燃圧を高くし、高発熱量燃料を使用する場合には前記燃料室の燃圧を低くする燃圧可変手段を設けたことを特徴とする異種液化ガス燃料用切換供給装置。
【請求項２】
前記燃圧可変手段が、前記燃料室の壁面の一部を形成するダイヤフラムと、前記燃料室内の燃料に圧力を掛ける向きに前記ダイヤフラムを弾発付勢するばねと、前記ばねの弾発付勢力を変えるためのばね荷重可変手段とからなることを特徴とする請求項１に記載の異種液化ガス燃料用切換供給装置。
【請求項３】
前記ばねの荷重方向一端が前記ダイヤフラムに当接し、前記ばねの荷重方向他端にカム面を当接させるカム体を設け、
前記カム体が、少なくとも前記低発熱量燃料を使用する位置と前記高発熱量燃料を使用する位置との２位置間で変位自在に設けられ、前記カム面が、前記各位置で前記ばねのたわみ量を変化させるように形成されていることを特徴とする請求項２に記載の異種液化ガス燃料用切換供給装置。
【請求項４】
前記カム体を前記２位置でクリック感をもって位置決めするための位置決め手段が設けられていることを特徴とする請求項３に記載の異種液化ガス燃料用切換供給装置。
【請求項５】
前記ばねが、前記ダイヤフラムの大気室側に設けられた第１のばねと、前記第１のばねとは別個に前記ダイヤフラムを弾発付勢するように設けられた第２のばねとからなり、
前記ばね荷重可変手段が、前記高発熱量燃料を使用する場合には前記第１のばねのみで、前記低発熱量燃料を使用する場合には前記第１のばねと前記第２のばねとの両者により前記ダイヤフラムを弾発付勢するように前記各ばねによる弾発付勢状態を切り換えることを特徴とする請求項２に記載の異種液化ガス燃料用切換供給装置。
【請求項６】
前記ばね荷重可変手段が、前記第２のばねに対してそのたわみ方向に係合するばね係合部材と、前記第２のばねを前記ダイヤフラムに弾発的に当接させる状態と前記ダイヤフラムから離反させた状態とにするべく前記係合部材を前記たわみ方向の異なる２位置に切り換えるための切換手段とを有することを特徴とする請求項５に記載の異種液化ガス燃料用切換供給装置。
【請求項７】
前記切換手段が、前記ばね係合部材に連結された回動自在なレバーと、前記レバーを前記２位置に位置決め可能にする位置決め手段とを有することを特徴とする請求項６に記載の異種液化ガス燃料用切換供給装置。
【請求項８】
前記切換手段が、前記ばね係合部材に連結された電磁アクチュエータであることを特徴とする請求項６に記載の異種液化ガス燃料用切換供給装置。
【発明の詳細な説明】
【技術分野】
【０００１】
本発明は、異種液化ガス燃料を使用する内燃機関に適用可能な異種液化ガス燃料用切換供給装置に関するものである。
【背景技術】
【０００２】
従来、プロパンやブタンなどの液化ガス燃料を使用する内燃機関がある。それらの燃料にあっては、単位容積に対する発熱量が異なるため、機関の燃焼に必要な空燃費が異なる。そのため、プロパン燃料用にセットされたレギュレータで例えばブタン燃料を使用すると、燃料供給量が過濃となり、またブタン燃料用にセットされたレギュレータでプロパン燃料を使用すると燃料供給量が過薄となって、いずれにおいても機関運転の不調をきたし、同一のレギュレータで異種の液化ガス燃料を使用することができなかった。
【０００３】
しかしながら、上記先行技術は、文献公知発明に係るものではないため、記載すべき先行技術文献情報はない。
【発明の開示】
【発明が解決しようとする課題】
【０００４】
上記プロパンおよびブタンの各燃料においてプロパン燃料にあっては、燃料費が安くまた大型のボンベに貯蔵された形態で使用されており、家屋の付帯設備として使用される例えば発電機搭載用機関の燃料として使用される場合がある。そのような使用では機関を規定位置に設置して使用することから、燃料費が安い大型のボンベに貯蔵されたプロパン燃料を使うのが好ましい。
【０００５】
一方、発電機搭載用機関において可搬式として屋外でも使用することができるようにしたものがある。その可搬式機関を屋外などで使用する場合には大型のボンベも共に持って行く必要があり、使い勝手が悪いという問題があった。また、規定位置での使用においても、大型のボンベに貯蔵されたプロパン燃料の残量が少ない場合には使用中に燃料が尽きる場合があり、そのような場合には補給を業者に依頼する必要が生じ、かつその補給を直ぐに行うことができないため、燃料残量の管理に注意を要するという不便があった。
【０００６】
それに対して、ブタン燃料にあっては、小型のボンベに貯蔵された状態で販売されているため、比較的入手し易いという利点がある。また、家庭で気軽に使用される卓上コンロ用の燃料として使用されていることから、補充用として保管されている可能性が高い。したがって、このような入手し易くかつ保管が容易な小型ボンベに貯蔵されたブタン燃料を、上記可搬式機関における屋外での使用や燃料切れなどにおいてプロパン燃料の代替え燃料として使用可能にすることは、上記使い勝手を良くしたり上記不便さを解消したりすることができるため望ましいものである。
【０００７】
そのような異種液化ガス燃料を使い分けるためには、それぞれに対応したレギュレータを別個に設けて、使用に応じて使い分けることが考えられるが、それでは２つの液化ガス燃料用供給装置が機関に装備されることになり、機関の大型化を招くという不都合が生じる。
【課題を解決するための手段】
【０００８】
このような課題を解決して、コンパクトな構造で異種液化ガス燃料の使用が可能な異種液化ガス燃料用切換供給装置を実現するために本発明に於いては、発熱量の異なる異種液化ガス燃料を使用する機関において、低発熱量燃料を使用する場合にはレギュレータの燃料室の燃圧を高くし、高発熱量燃料を使用する場合には前記燃料室の燃圧を低くする燃圧可変手段を設けたものとした。
【０００９】
特に、前記燃圧可変手段が、前記燃料室の壁面の一部を形成するダイヤフラムと、前記燃料室内の燃料に圧力を掛ける向きに前記ダイヤフラムを弾発付勢するばねと、前記ばねの弾発付勢力を変えるためのばね荷重可変手段とからなると良い。さらに、前記ばねの荷重方向一端が前記ダイヤフラムに当接し、前記ばねの荷重方向他端にカム面を当接させるカム体を設け、前記カム体が、少なくとも前記低発熱量燃料を使用する位置と前記高発熱量燃料を使用する位置との２位置間で変位自在に設けられ、前記カム面が、前記各位置で前記ばねのたわみ量を変化させるように形成されていると良い。さらに、前記カム体を前記２位置でクリック感をもって位置決めするための位置決め手段が設けられていると良い。
【００１０】
また、前記ばねが、前記ダイヤフラムの大気室側に設けられた第１のばねと、前記第１のばねとは別個に前記ダイヤフラムを弾発付勢するように設けられた第２のばねとからなり、前記ばね荷重可変手段が、前記高発熱量燃料を使用する場合には前記第１のばねのみで、前記低発熱量燃料を使用する場合には前記第１のばねと前記第２のばねとの両者により前記ダイヤフラムを弾発付勢するように前記各ばねによる弾発付勢状態を切り換えると良い。
【００１１】
特に、前記ばね荷重可変手段が、前記第２のばねに対してそのたわみ方向に係合するばね係合部材と、前記第２のばねを前記ダイヤフラムに弾発的に当接させる状態と前記ダイヤフラムから離反させた状態とにするべく前記係合部材を前記たわみ方向の異なる２位置に切り換えるための切換手段とを有すると良い。さらに、前記切換手段が、前記ばね係合部材に連結された回動自在なレバーと、前記レバーを前記２位置に位置決め可能にする位置決め手段、あるいは、前記切換手段が、前記ばね係合部材に連結された電磁アクチュエータであると良い。
【発明の効果】
【００１２】
このように本発明の請求項１によれば、レギュレータに燃圧の高低を変える燃圧可変手段を設けて低発熱量燃料と高発熱量燃料とを使い分けられるようにしたことから、１つのレギュレータを設けた内燃機関などにおいて発熱量の異なる燃料を使用することができるため、コンパクトな構造で異種液化ガス燃料の使用が可能になる。
【００１３】
特に、燃圧可変手段が、ダイヤフラムとばねとそのばねの弾発付勢力を変えるばね荷重可変手段とからなることにより、ばねの弾発付勢力を変えるという単純な構造でダイヤフラムによる燃料室の燃料に対する付勢力を変えて燃圧を変えることができる。さらに、ばねの他端をカム面に当接させたカム体を設け、カム体を変位させてばねのたわみ量を変化させることにより、例えばカム体を回動させるといった簡単な構造で異なる燃圧状態にすることができる。さらに、カム体を２位置でクリック感をもって位置決めするための位置決め手段が設けられていることにより、異なる燃圧の設定を容易に確認することができ、操作性が良い。
【００１４】
また、ばねを第１のばねと第２のばねとにより構成し、高発熱量燃料を使用する場合には第１のばねのみでダイヤフラムを弾発付勢し、低発熱量燃料を使用する場合には両ばねによりダイヤフラムを弾発付勢するように切り換えることにより、一方の燃圧のみを変える必要がある場合に単純にばねを取り替えることにより対応でき、設定変更に容易に対応し得る。
【００１５】
特に、第２のばねに対してばね係合部材を係合させて、第２のばねをダイヤフラムに弾発的に当接させる状態と離反させた状態とにばね係合部材を変位させて切り換えることにより、両ばねを用いて弾発付勢力を切り換えることを簡単に行うことができる。さらに、ばね係合部材にレバーを連結することにより、レバーを回動させて燃圧を切り換えることができ、操作が容易になる。あるいは電磁アクチュエータにより切り換えることにより、電気的に切り換えることができ、遠隔操作が可能になり、より一層使い勝手が良くなる。
【発明を実施するための最良の形態】
【００１６】
以下、本発明の実施の形態を、図面を参照しながら説明する。図１は、本発明が適用された発電機搭載用内燃機関１における概略全体図である。図１において、内燃機関１の適所には燃料供給装置２が設けられており、液化ガス燃料が燃料供給装置２により適切な燃圧に制御されて吸気管３内へ供給されるようになっている。
【００１７】
内燃機関１の外部には、低発熱量燃料としてのプロパンを貯蔵する例えば大型のプロパン燃料用タンク４と、高発熱量燃料としての例えば小型のブタン燃料用タンク５と、例えば三方コックからなる燃料切換コック６とがそれぞれ適所に配設されている。プロパン燃料用タンク４と燃料切換コック６とはプロパン燃料管７を介して連通し、ブタン燃料用タンク５と燃料切換コック６とはブタン燃料管８及び受熱管９を介して連通している。なお、受熱管９は、ブタン燃料使用時における低温機関始動性を良くするために、シリンダブロックの冷却フィンに沿わせるように配管されている。
【００１８】
図２に示されるように、燃料供給装置２の中間部には、吸気管３に連通する吸気道１１と、その吸気道１１を図における上下方向に横切る向きに摺動自在な摺動絞り弁体１２とが設けられている。吸気道１１の図における底面となる部分には、上記摺動絞り弁体１２と同軸に開口する燃料噴出口１３が設けられている。その燃料噴出口１３には、摺動絞り弁体１２に同軸かつ図における下方に向けて突設された燃料計量針弁１４が摺動自在に没入している。その燃料計量針弁１４を燃料噴出口１３に没入させる方向に所定のばね力にて摺動絞り弁体１２が弾発付勢されている。なお、燃料計量針弁１４の先端形状は、燃料噴出口１３に最大没入状態で燃料噴出口１３を完全に閉塞し、その最大没入状態から後退（逆方向への移動）するに連れて燃料噴出口１３との間の隙間が大きくなる先細りに形成されている。
【００１９】
また、燃料供給装置２のボディ側部には、上記燃料切換コック６からの共通燃料管１５が接続される燃料流入口２ａが設けられている。その燃料流入口２ａから燃料供給装置２内に流入した燃料は、１次レギュレータ１６の燃料制御開閉弁座１７の軸線方向貫通孔を介して１次燃料室１８に入る。１次燃料室１８を形成する壁面の一部にダイヤフラム１９が設けられており、そのダイヤフラム１９の１次燃料室１８とは相反する側に大気圧室２０が設けられている。ダイヤフラム１９は、大気圧室２０内に設けられた圧縮コイルばね２１により１次燃料室１８内に向けて常時弾発付勢されている。
【００２０】
１次燃料室１８内には燃料開閉弁レバー２２が揺動自在に枢支されていると共に、燃料開閉弁レバー２２の一端部がダイヤフラム１９の中央部と連結されている。その燃料開閉弁レバー２２の揺動運動に応じて燃料開閉弁レバー２２の他端部が燃料制御開閉弁座１７の軸線方向貫通孔を開閉するようにされている。このようにして１次レギュレータ１６が構成されている。
【００２１】
１次燃料室１８に、２次レギュレータ２３の２次燃料制御開閉弁座２４の軸線方向貫通孔を介して２次燃料室２５が連通するように設けられている。この２次燃料室２５もその壁面の一部にダイヤフラム２６が設けられており、そのダイヤフラム２６の２次燃料室２５とは相反する側にも大気圧室２７が設けられている。また、２次燃料室２５内には２次燃料開閉弁レバー２８が揺動自在に枢支されている。
【００２２】
その２次燃料開閉弁レバー２８は、その一端部をダイヤフラム２６の中央部に衝当させる向きに圧縮コイルばね２９により弾発付勢されている。２次燃料開閉レバー２８の他端部には、２次燃料制御開閉弁座２４の軸線方向貫通孔を開閉するように軸線方向変位自在に設けられた弁体３０が連結されている。圧縮コイルばね２９に弾発付勢される方向に２次燃料開閉レバー２８が回動した状態の弁体３０により２次燃料制御開閉弁座２４の軸線方向貫通孔が閉塞され、その弾発付勢力に抗する向きに２次燃料開閉レバー２８が回動すると開弁される。このようにして２次レギュレータ２３が構成されている。
【００２３】
２次燃料室２５は、燃料制御ジェット３１を介して上記燃料噴出口１３の吸気道１１側とは相反する側の部屋に連通している。本燃料供給装置２に送られてきた液化ガス燃料は、１次レギュレータ１６及び２次レギュレータ２３で調圧され、燃料制御ジェット３１で流量を規定されて、燃料計量針弁１４の燃料噴出口１３に対する開度に応じて吸気道１１内に噴出される。
【００２４】
本燃料供給装置２にあっては、図２における下部に上記した大気圧室２０を形成する下部ケーシング３２が設けられている。その下部ケーシング３２には、１次レギュレータ１６における圧縮コイルばね２１の軸線方向に直交する向きに延在するようにされたばね荷重可変手段としての円柱状カム体３３がその軸線回りに回動自在に設けられている。
【００２５】
圧縮コイルばね２１の荷重方向一端としてのダイヤフラム１９側のコイル端はダイヤフラム１９に一体化されたばね受け座３４により支持されている。また、下部ケーシング３２における大気圧室２０とカム体３３との間の壁には、大気圧室２０からカム体３３の外周面に至る向きに貫通するガイド孔３２ａが形成されている。そのガイド孔３２ａにより、圧縮コイルばね２１の荷重方向他端としてのダイヤフラム１９側とは相反する側のコイル端を支持するばね受け座３５が圧縮コイルばね２１の軸線方向に摺動自在に支持されている。そして、ばね受け座３５がカム体３３の外周面に当接している。
【００２６】
カム体３３の外周面には、ばね受け座３５を受容しかつばね受け座３５の底面と当接し得る大きさに半径方向に凹設したＤ字状断面形状のカム面３３ａが形成されている。また、カム体３３の外周面の一部には周方向溝３３ｂが形成されており、図３に良く示されるように、下部ケーシング３２にはその周方向溝３３ｂに対応する位置にてカム体３３の半径方向に移動自在なボール３６が設けられている。ボール３６は圧縮コイルばね３７により周方向溝３３ｂに一部を突入させるように弾発付勢されている。これによりカム体３３の軸線方向に対する位置決めがなされている。また、周方向溝３３ｂには、ボール３６がより深く突入して係合状態となるＶ字断面形状の位置決め孔３３ｃが図示例では径方向に対称位置となる２箇所に形成されている。
【００２７】
カム体３３を図示例ではマイナスドライバなどの工具で回した場合に１８０度回した位置で位置決め孔３３ｃに対するボール３６の弾発係合によりクリック感が得られ、各所定の位置でカム体３３を停止させておくことができる。このようにして位置決め手段が構成されている。上記カム面３３ａは、一方の所定位置にてカム体３３が停止した場合にばね受け座３５と整合する位置に設けられている。
【００２８】
このように構成された燃料装置２にあっては、カム体３３を回すことにより、図２に示されるカム体３３の外周面にばね受け座３５が当接することにより圧縮コイルばね２１が高圧縮された高弾発付勢状態と、図４に示されるようにカム面３３ａにばね受け座３５が当接することにより圧縮コイルばね２１が低圧縮された低弾発付勢状態とが得られる。このようにしたカム体３３を用いて燃圧可変手段が構成されている。
【００２９】
図２に示される高弾発付勢状態では、１次レギュレータ１６の燃圧が高くなるため２次レギュレータ２３からの燃料供給量が大となり、その設定でプロパン燃料を使用するようにした内燃機関１に対する十分なプロパン燃料を供給することができる。それに対して図４に示される低弾発付勢状態では、１次レギュレータ１６の燃圧が低くなるため２次レギュレータ２３からの燃料供給量が小となるので、プロパン燃料よりも容積当たりの発熱量が高いブタン燃料を内燃機関１に使用してもその運転に支障を来さないようにすることができる。それらの切り換えにおいては当然切換コック４を対応する燃料タンク４・５の方に切り換えておく。
【００３０】
このようにプロパン燃料の使用を前提とした内燃機関１において、家屋などに固定状態で使用する場合には大型のボンベに貯蔵されたプロパン燃料を使用し、屋外などに運んで使用する場合には持ち運びの便利な小型ボンベに貯蔵されたブタン燃料を使用するという使い分けを容易に行うことができる。また、プロパン燃料の使用中に燃料切れが生じた場合に補給依頼による直ぐの補給ができなくても、臨時に入手容易な家庭コンロ用ブタン燃料を使用することができるため、利便性が良い。そのような使用を、各燃料毎に対応する燃料供給装置を設けることなく、上記したように簡単な構造からなる１つの燃料供給装置２で行うことができるため、安価であって簡単に異種燃料を使用可能とする燃料供給装置を提供し得る。
【００３１】
また、燃圧の切り換え機構にあっては上記図示例に限られるものではなく、種々の形態が可能である。例えば図５を参照して第２の例について示す。図５にあっては１次レギュレータ１６及び２次レギュレータ２３に関しては上記図示例と同じであって良いため図示省略している。また、上記図示例と同様の部分には同一の符号を付してその詳しい説明を省略する。
【００３２】
この第２の例における下部ケーシング３２内には、ダイヤフラム１９に一体化されたばね受け座３４に一方のコイル端を当接させた第１のばねとしての大径の第１の圧縮コイルばね４１と、第１の圧縮コイルばね４１内に同軸的に設けられた第２のばねとしての小径の第２の圧縮コイルばね４２とが受容されている。なお、下部ケーシング３２内における上記各ばね４１・４２を受容する部屋（大気圧室２０）には第１の圧縮コイルばね４１の内側に同軸的に環状ボス部３２ａが突設されている。
【００３３】
環状ボス部３２ａ内に第２の圧縮コイルばね４２が受容されていると共に、環状ボス部３２ａにより、第２の圧縮コイルばね４２のダイヤフラム１９側のコイル端を受けるばね係合部材としてのばね保持部材４３がダイヤフラム１９に対して接離するように軸線方向に摺動自在に支持されている。そのばね保持部材４３には下部ケーシング３２の図における底壁を貫通するように設けられた連結棒４４の一端が結合されている。
【００３４】
下部ケーシング３２に例えば一体的に固設されたブラケット４５には切換手段（ばね荷重可変手段）としての切換レバー４６が枢支されており、その切換レバー４６の中間部に上記連結棒４４の他端である下方延出端が連結されている。なお、切換レバー４６と連結棒４４との連結部には、切換レバー４６の円弧運動に対して連結棒４４がばね保持部材４３の軸線方向運動により直線運動となるため、両者のずれを吸収するようにある程度の遊びが設けられている。
【００３５】
また、切換レバー４６には、ブラケット４５に突設されたピン４７に対して、図５に示される高弾発付勢状態で係合対象となる係合溝４６ａと、切換レバー４６を図の矢印Ａに示される向きに回動した低弾発付勢状態で係合対象となる係合溝４６ｂとが、切換レバー４６の回動方向に所定の角度ピッチをもってそれぞれ設けられている。
【００３６】
なお、図５の実線に示される状態では第２の圧縮コイルばね４２の弾発付勢力によりばね保持部材４３がダイヤフラム１９側に付勢されており、それにより切換レバー４６が持ち上げられてピン４７に対して係合溝４６ａが係合する。その状態で、ダイヤフラム１９の変位に追従して変位することになるばね保持部材４３すなわち連結棒４４の軸線方向変位を許容し得るように、切換レバー４６には、連結棒４４の軸端に設けられた拡径係合部材が連結棒４４の軸線方向に変位可能にする孔が形成されている。
【００３７】
他方の係合溝４６ｂもピン４７と係合した状態で切換レバー４６をその位置に固定し得る形状に形成されている。その係合溝４６ｂとピン４７との係合状態では、ばね保持部材４３がダイヤフラム１９から離れた状態で保持され、その離間距離をダイヤフラム１９の最大変位以上としておくことにより、その状態では第２の圧縮コイルばね４２による弾発付勢力がダイヤフラム１９に作用しないようにされている。なお、切換レバー４６を回動することにより両係合溝４６ａ・４６ｂ間の山形状部を乗り越えるため、切換状態を容易に知ることができる。
【００３８】
この第２の例にあっては、高弾発付勢状態では両圧縮コイルばね４１・４２を合わせた弾発付勢力がダイヤフラム１９に作用し、低弾発付勢状態では第１の圧縮コイルばね４１のみの弾発付勢力がダイヤフラム１９に作用する。このようにして１次レギュレータ１６の燃圧を変えることができ、その作用効果は上記図示例と同様である。なお、このように２つの異なるばねを用いて弾発付勢力を変えることから各ばねをそれぞれ別個に交換可能であり、一方の液化燃料のレギュレータ圧のみを変える必要が生じた場合の対応が容易である。
【００３９】
また、図６を参照して第３の例について示す。図６においても１次レギュレータ１６及び２次レギュレータ２３に関しては上記第１の例における図示例と同じであって良いため図示省略している。また、その図示例と同様の部分には同一の符号を付してその詳しい説明を省略する。
【００４０】
この第３の例にあっては、概略的に上記第２の例における切換レバー４６に代えて電磁アクチュエータ５１を設けたものである。図示例にあっては、下部ケーシング３２内に第２の例と同様に第１の圧縮コイルばね４１が受容され、その下部ケーシング３２の下面に電磁アクチュエータ５１が固設されている。
【００４１】
電磁アクチュエータ５１は、主に、有底円筒状の強磁性体からなるケーシング５１ａと、ケーシング５１ａの底部に固設されかつ内部に突設された固定鉄心５１ｂと、ダイヤフラム１９と固定鉄心５１ｂとの両者間に固定鉄心５１ｂと同軸に設けられたばね係合部材としての可動鉄心５１ｃと、両鉄心５１ｂ・５１ｃを外囲するコイル５１ｄとにより構成されている。さらに、固定鉄心５１ｂと可動鉄心５１ｃとの間には可動鉄心５１ｃ内に受容された第２の圧縮コイルばね４２が同軸に設けられている。
【００４２】
図示の状態は、コイル５１ｄが非励磁であり、可動鉄心５１ｃが第２の圧縮コイルばね４２により弾発付勢されてダイヤフラム１９に衝当している高弾発付勢状態である。それに対してコイル５１ｄに通電して励磁状態にした場合には、第２の圧縮コイルばね４２の弾発付勢力に抗して固定鉄心５１ｂに可動鉄心５１ｃが磁気吸引されて、第２の圧縮コイルばね４２の弾発付勢力がダイヤフラム１９に作用しないようになる。
【００４３】
このように、電磁アクチュエータ５１のコイル５１ｄの励磁及び非励磁を電気的に選択することにより、第１の圧縮コイルばね４１のみによる低弾発付勢状態と、両圧縮コイルばね４１・４２を合わせた高弾発付勢状態とに切り換えることができる。その作用効果は上記第２の例と同様であるが、電気信号で切り換えを行うことができるため、遠隔操作が可能になり、より一層使い勝手が良くなる。
【図面の簡単な説明】
【００４４】
【図１】本発明が適用された発電機搭載用内燃機関１における概略全体図である。
【図２】本発明が適用された燃料供給装置を示す縦断面図である。
【図３】図２の矢印III−III線に沿って見た要部断面図である。
【図４】高発熱量燃料を使用する状態に切り換えた図２に対応する図である。
【図５】第２の例を示す要部断面図である。
【図６】第３の例を示す要部断面図である。
【符号の説明】
【００４５】
１  内燃機関
２  燃料供給装置
４  プロパン燃料用タンク
５  ブタン燃料用タンク
６  燃料切換コック
１６  １次レギュレータ
１８  １次燃料室
１９  ダイヤフラム
２０  大気圧室
２１  圧縮コイルばね
２３  ２次レギュレータ
３３  カム体、３３ａ  カム面、３３ｂ  周方向溝、３３ｃ  位置決め孔
３６  ボール
３７  圧縮コイルばね
４１  第１の圧縮コイルばね
４２  第２の圧縮コイルばね
４３  ばね保持部材
５１  電磁アクチュエータ、５１ｃ  可動鉄心
【図１】
2005320866.tif 000003
【図２】
2005320866.tif 000004
【図３】
2005320866.tif 000005
【図４】
2005320866.tif 000006
【図５】
2005320866.tif 000007
【図６】
2005320866.tif 000008